(57)【特許請求の範囲】
【請求項１】
釣竿を収納するロッドケース内に配置される釣竿収納アダプタであって、
底面を有する棒状の基部と、釣竿の後端部を囲繞する囲繞部とを備えたことを特徴とする釣竿収納アダプタ。
【請求項２】
請求項１記載の釣竿収納アダプタにおいて、
上記囲繞部は、釣竿の後端部を一定の保持力で囲繞保持するように構成されていることを特徴とする釣竿収納アダプタ。
【請求項３】
請求項１または２記載の釣竿収納アダプタにおいて、
上記囲繞部は、釣竿の後端部が挿入される開口部を有する有底筒状に形成されており、
上記開口部の内径を縮径させる縮径部材が備えられていることを特徴とする釣竿収納アダプタ。
【請求項４】
請求項１または２記載の釣竿収納アダプタにおいて、
上記囲繞部は、弾性材料により構成され、釣竿の後端部が圧入される開口部を有する有底筒状に形成されていることを特徴とする釣竿収納アダプタ。
【請求項５】
請求項４記載の釣竿収納アダプタにおいて、
上記囲繞部は、
上記開口部に連続し、筒軸方向に延びるスリットが設けられていることを特徴とする釣竿収納アダプタ。
【請求項６】
請求項３ないし５のいずれかに記載の釣竿収納アダプタにおいて、
上記開口部の端部は、漸次拡径されていることを特徴とする釣竿収納アダプタ。
【請求項７】
請求項１ないし６のいずれかに記載の釣竿収納アダプタにおいて、
上記囲繞部は、弾性部材を介して釣竿を囲繞するように構成されていることを特徴とする釣竿収納アダプタ。
【請求項８】
請求項１ないし７のいずれかに記載の釣竿収納アダプタにおいて、
上記囲繞部の内底部には、内壁面から内底面の方向へ内径が漸次縮径されるように傾斜面が形成されていることを特徴とする釣竿収納アダプタ。
【請求項９】
請求項１ないし７のいずれかに記載の釣竿収納アダプタにおいて、
上記囲繞部の内底部には、内径を内底面側へ漸次縮径する内径縮径部材が配設されていることを特徴とする釣竿収納アダプタ。
【請求項１０】
請求項１ないし７のいずれかに記載の釣竿収納アダプタにおいて、
上記基部と囲繞部とは、合成樹脂により一体的に形成されていることを特徴とする釣竿収納アダプタ。
【発明の詳細な説明】
【０００１】
【発明の属する技術の分野】
この発明は、ロッドケースへ釣竿を収納する際に使用するアダプタに関するものである。
【０００２】
【従来の技術および発明が解決しようとする課題】
ロッドケースは、釣竿を複数収納して釣り場への搬入の便を図ったものであるが、雑然と収納するのみでは釣り場で必要な釣竿を取り出す際に不便となり、また釣竿にリールを装着したまま収納した場合には、リール同士が接触して傷が付いてしまう場合がある。そのために従来のロッドケースでは、釣竿を別々に保持し、整列させて収納できるものがある。そのようなロッドケースは、たとえば特開２０００−４７４５号公報や、特開平１１−７５６５４号公報に開示されている。
【０００３】
前者公報には、釣竿の後端部を収容できる竿受部をロッドケース内に設け、これをベルベット式面ファスナを介してロッドケース内で上下に移動可能とした構成が開示されている。これによれば、釣竿の後端部を竿受部に収容することによて、当該釣竿の後端位置を他の釣竿の後端位置と異ならせることができ、リール同士の接触を回避して複数の釣竿を収納することができる。
【０００４】
また後者公報には、ロッドケース内に、当該ロッドケース内の空間を仕切る仕切部材を設けた構成が開示されている。これによれば、仕切部材によって釣竿に装着されたリールを囲繞保持することによって、リール同士の接触を回避して複数の釣竿を収納することができる。
【０００５】
しかし、上記前者公報に開示された構成では、竿受部をベルベット式面ファスナを介してロッドケース内に装着しなければならず、そのためにロッドケースは専用の複雑な構造とする必要があり、ロッドケース全体の製造コストが上昇する。
【０００６】
一方、後者公報に開示された構成では、仕切部材はリールを保持するためのものであることから、仕切部材を配設するためにロッドケース内に広いスペースが必要となり、ロッドケース内のスペース効率が悪い。また、仕切部材はリールを保持するものであるところ、その外形寸法が大きくならざるを得ず、ロッドケース全体としての重量も重くなる。さらに、仕切部材は釣竿に装着されたリールを保持するものであるから、ロッドケース内で釣竿をしっかりと保持することができず、釣竿同士の衝突が激しくなる。
【０００７】
そこで、本発明の目的は、ロッドケース内部の収容空間のスペース効率を向上させ、複数の釣竿をリールをつけたまま整列収納するための釣竿収納アダプタを提供することである。
【０００８】
【課題を解決するための手段】
(1)  上記目的を達成するため、本願に係る釣竿収納アダプタは、釣竿を収納するロッドケース内に配置される釣竿収納アダプタであって、底面を有する棒状の基部と、釣竿の後端部を囲繞する囲繞部とを備えたことを特徴とするものである。
【０００９】
この釣竿収納アダプタは、ロッドケース内に配置することにより、釣竿をロッドケース内で整列させ収納することができる。すなわち、基部の底面をロッドケースの内底面に当接させて当該ロッドケース内に配置する。そして、囲繞部によって釣竿の後端部を囲繞し、釣竿を支持することができる。また、基部は棒状に形成されているから、ロッドケースに収納される釣竿は、ロッドケースの内底面から持ち上げられた状態で配置される。しかも、上記基部が棒状に形成されるから、釣竿収納アダプタをロッドケース内に配置するために広いスペースを必要としない。
【００１０】
また、上記囲繞部は、釣竿の後端部を一定の保持力で囲繞保持するように構成することができる。このようにすれば、釣竿収納アダプタをロッドケース内に配置することにより、囲繞部により釣竿の後端部を保持することができる。したがって、釣竿と釣竿収納アダプタとの間のがたつきを無くすことができる。これにより、釣竿をロッドケースに収納する際に、予め釣竿収納アダプタを釣竿の後端部に装着し、その状態で当該釣竿をロッドケースに収納することができるので、釣竿の収納作業が容易となる。
【００１１】
(2)  上記囲繞部は、釣竿の後端部が挿入される開口部を有する有底筒状に形成し、上記開口部の内径を縮径させる縮径部材を備えることもできる。
【００１２】
この構成によれば、釣竿の後端部を開口部から囲繞部に挿入することにより、釣竿の後端部を囲繞保持することができる。そして、縮径部材により上記開口部の内径を縮径することができるので、釣竿の後端部を一定の保持力で確実に保持することができる。さらに、このように上記開口部の内径を拡縮させることができるので、釣竿の後端部の外径が異なる場合にも対応することができる。
【００１３】
(3)  上記囲繞部は、弾性材料により構成し、釣竿の後端部が圧入される開口部を有する有底筒状に形成することもできる。
【００１４】
この構成によれば、釣竿の後端部が開口部から囲繞部に圧入されるので、当該開口部が弾性的に拡径し、釣竿の後端部を囲繞する。そして、その状態での緊迫力によって、釣竿の後端部が一定の保持力で確実に囲繞保持される。さらに、このように上記開口部の内径を拡縮させることができるので、釣竿の後端部の外径が異なる場合にも対応することができる。
【００１５】
また、上記囲繞部は、上記開口部に連続し、筒軸方向に延びるスリットを有するように形成することができる。このようにすれば、スリットによって上記開口部の内径を一層柔軟に拡縮させることができるから、後端部の外径が異なるさまざまな釣竿に適用することができる。
【００１６】
(4)  上記開口部の端部の内径が、漸次拡径されるように形成することができる。このようにすれば、上記開口部の端部がいわゆる漏斗状に形成されるから、釣竿の後端部を囲繞部へ挿入する際に案内することができ、釣竿の収納作業が容易となる。
【００１７】
(5)  また、上記囲繞部は、弾性部材を介して釣竿を囲繞保持するように構成することができる。このようにすれば、釣竿は弾性部材に囲繞されるから囲繞部と摺接することによって釣竿に傷等がつくのを防止することができる。また、釣竿の後端部の保持が一層確実なものとなる。
【００１８】
(6)  上記囲繞部の内底部に、内壁面から内底面の方向へ内径が漸次縮径されるように傾斜面を形成することができる。このようにすれば、傾斜面により囲繞部の内底部の内径が漸次縮径されるから、釣竿の後端部を安定して囲繞することができるという利点がある。
【００１９】
また、上記囲繞部の内底部に、内径を内底面側へ漸次縮径する内径縮径部材を配設することもできる。このようにすれば、囲繞部自体に設計変更を施さなくても、その内径を簡単に小さくすることができる。これにより、単一の釣竿収納アダプタであっても、外径の大きな釣竿から外径の小さい釣竿まで、安定して囲繞することができるという利点がある。
【００２０】
(7)  さらに、上記基部と囲繞部とを、合成樹脂により一体的に形成するこもできる。このようにすれば、釣竿収納アダプタをきわめて安価に製造することができるという利点がある。
【００２１】
【発明の実施の形態】
以下、本発明の実施の形態について説明する。
【００２２】
図１は、本発明の一実施形態に係る釣竿収納アダプタ（以下、単に「アダプタ」という。）の斜視図である。また、図２はアダプタの断面図であり、(a)図は図１におけるＡ−Ａ断面およびＢ−Ｂ断面、(b)図は図１におけるＣ−Ｃ断面、(c)図は図１におけるＤ−Ｄ断面、(d)図は図１におけるＥ−Ｅ断面を示している。
【００２３】
このアダプタ１０は、釣竿を収納するロッドケース内に配置されるものであり、それによって、後に詳述するように、複数の釣竿をリールを装着したまま整列して収納することができるようになっている。
【００２４】
アダプタ１０は、基部１１と囲繞部１２とを備えている。本実施形態では、アダプタ１０は、たとえばＰＰ（ポリプロピレン）、ＡＢＳ樹脂（アクリロニトリル・ブタジエン・スチレン樹脂）、ＥＶＡ樹脂（エチレン酢酸ビニル共重合体樹脂）等の合成樹脂により成形されており、基部１１および囲繞部１２が一体的に形成されている。アダプタ１０の成形は、金型等を用いた成型により行うことができる。なお、アダプタ１０を構成する材料は上記合成樹脂に限定されるはことなく、後述するように囲繞部１２の弾性変形が可能なものであれば他の弾性材料を採用することができる。本実施形態のように、アダプタ１０を成型することにより、アダプタ１０をきわめて安価に製造することができるという利点がある。
【００２５】
基部１１は図に示すような棒状に形成されており、平面に形成された底面１３を備えている。図２(a)ないし(c)に示すように、本実施形態では基部１１は、断面形状が略十字状に形成されている。これは、アダプタ１０を成型する場合に肉厚を薄くするためであり、断面形状を円形や多角形状にすることもできる。ただし、本実施形態のように断面形状を略十字状にすることによって、基部１１を軽量で剛性の高いものとすることができる。また、基部１１の長手方向寸法Ｌは、適宜設定することができるが、収納されるさまざまな釣竿の寸法に対応させるために１００ｍｍ〜２００ｍｍの範囲で設定するのが好ましい。
【００２６】
囲繞部１２は、基部１１の先端部に連続して形成されている。囲繞部１２は、底部１４を備えた円筒状に形成されている。囲繞部１２は、図１に示すようにその周面にスリット１５が設けられている。このスリット１５は、囲繞部１２の筒軸方向に延びるように形成されており、図２(d)に示すように４方向に設けられている。なお、スリット１５は４つに限定されるものではなく、その数に特別の制限はない。
【００２７】
囲繞部１２の先端部には、開口１６を有する開口部１７が形成されている。上記スリット１５は、この開口部１７の開口１６に連続している。また、開口部１７の端部は図１に示すように漏斗状に拡径されており、開口１６の内径が漸次拡径されている。本実施形態では、開口１６の内径は２５ｍｍに設定されている。ただし、この内径は、収納されるさまざまな釣竿の寸法に対応させるために１５ｍｍ〜３５ｍｍの範囲で適宜設定することができる。また、囲繞部１２の内径は、底部１４側ほど大きくなるように形成されており、底部１４部分の内径は、１８ｍｍ〜３５ｍｍ程度（本実施形態では３０ｍｍ）に設定することができる。
【００２８】
なお、本実施形態では、アダプタ１０を一体的に形成しているが、基部１１と囲繞部１２とを別々に構成し、これらを組み付けるようにすることもできる。また、基部１１および囲繞部１２を合成樹脂で構成するほかに、他の材料、たとえば木材や金属等により構成することもできる。
【００２９】
図３は、アダプタ１０を用いて釣竿をロッドケースに収納した状態を示している。図１および図３を参照して、アダプタ１０の使用方法について説明する。
【００３０】
まず、釣竿２２の後端部２３をアダプタ１０の囲繞部１２に挿入する。これにより、当該後端部２３を一定の保持力で囲繞保持することができる。そして、アダプタ１０を装着した釣竿２２を、アダプタ１０の基部１１の底面１３がロッドケース２０の内底面２１に当接するようにロッドケース２０内に配置する。
【００３１】
基部１１は棒状に形成されているから、ロッドケース２０に収納された釣竿２２は、ロッドケース２０の内底面２１から持ち上げられた状態で配置される。しかも、上記基部１１が棒状に形成されるから、アダプタ１０をロッドケース２０内に配置するために広いスペースを必要としない。
【００３２】
このようにして釣竿２２をロッドケース２０内に収納することによって、釣竿２２の両側（図３において、紙面に垂直な方向に沿った釣竿２２の両隣）に別の釣竿２４（同図では、釣竿２２の手前側の釣竿の図示は省略）を配置・収納することができる。この釣竿２４は、その後端部２５をロッドケース２０の内底面２１に当接させた状態で収納することができ、これにより、ロッドケース２０内で釣竿２２と釣竿２４とを、その配置高さを異ならせて収納することができる。釣竿２２の手前側に配置される他の釣竿についても同様である。
【００３３】
したがって、釣竿２２，２４にリール２５，２６を装着した場合であっても、釣竿２２，２４を互いにその配置高さを異ならせて収納することができるから、リール２５，２６同士の衝突を避けて安全に複数の釣竿２２，２４を収納することができる。しかも、ロッドケース内に設けられた部位（従来のような竿受部）に釣竿２２を挿入するのではなく、予めアダプタ１０を装着して釣竿２２をロッドケースに収納するものであるから、釣竿収納作業がきわめて簡単である。
【００３４】
また、アダプタ１０は、ロッドケース２０内に配置するために広いスペースを必要としないので、ロッドケース２０内のスペース効率を向上させ、少なくとも、３本の釣竿をリールを装着したまま収納することができる。また、ロッドケース２０の構成を何ら変更することがないので、アダプタ１０は従来のロッドケースのすべてに対応することができる。したがって、ロッドケース自体のコストアップにつながることはない。
【００３５】
特に、本実施形態に係るアダプタ１０によれば、次のような作用効果を奏する。
【００３６】
まず、本実施形態では、上記釣竿２２の後端部２３の外径は、３０ｍｍである。囲繞部１２は、弾性材料により構成され、開口部１７を有する有底筒状に形成されている。したがって、釣竿２２を収納する場合には、釣竿２２の後端部２３を開口部１７から圧入することになるが、このとき、開口部１７が弾性的に拡径し、当該後端部２３を囲繞する。そして、この状態での緊迫力によって、当該後端部２３が一定の保持力で確実に囲繞保持される。このように上記開口部１７の内径を拡縮させることができるので、後端部の外径が異なる釣竿にも適用することができる。しかも、囲繞部１２はスリット１５を有するので、開口部１７の内径を一層柔軟に拡縮させることができる。したがって、後端部の外径が異なるさまざまな釣竿にも適用することができるという利点がある。もっとも、このスリット１５は無くすこともできる。
【００３７】
また、開口部１７の端部がいわゆる漏斗状に形成されている。これにより、釣竿２２の後端部２３を囲繞部１２へ挿入する際に、挿入を案内することができるので、釣竿２２の収納作業が容易となる。もっとも、開口部１７の端部をかかる漏斗状に形成しなくてもよい。
【００３８】
本実施形態では、囲繞部１２の開口部１７の内径を釣竿２２の後端部２３の外径よりも小さくし、囲繞部１２によって釣竿２２の後端部２３を一定の保持力（上記緊迫力）で保持するようにしたが、上記開口部１７の内径を釣竿２２の後端部２３の外径と同様またはそれ以上に設定することもできる。
【００３９】
このようにすれば、釣竿２２は、その後端部２３が囲繞部１２により支持され、ロッドケース２０の内底面２１から持ち上げられた状態で収納される。この場合も上述したと同様に、複数の釣竿を複数整列して収納することができる。
【００４０】
次に、図４は、本実施形態の変形例に係るアダプタ３０の要部斜視図である。
【００４１】
同図に示すように本変形例では、囲繞部１２の内面に弾性部材３１が設けられている。この弾性部材３１は、たとえば発泡ＥＶＡ（エチレン酢酸ビニル共重合体樹脂）等を採用することができる。弾性部材３１は、薄肉板状に形成されており、囲繞部１２の内面に貼り付けられている。本変形例では、上述したように囲繞部１２に上記スリット１５が４方に設けられているので、弾性部材３１は、囲繞部１２の内面の周方向に沿って４枚設けられた状態となっている。なお、このスリット１５が設けられないときは、弾性部材３１を円筒状に形成し、これを囲繞部１２の内面に貼り付けるようにすることができる。
【００４２】
この弾性部材３１を設けることにより、上記釣竿２２（図３参照）は、弾性部材３１を介して囲繞部１２により囲繞保持される。したがって、釣竿２２は囲繞部１２と直接摺接することがなく、釣竿１２に傷等がつくのを防止することができる。しかも、弾性部材３１の弾性変形により、釣竿１２の後端部２３の保持が一層確実なものとなる。
【００４３】
また、本変形例では、図５に示すように、囲繞部１２の先端部に締付バンド（縮径部材）３３を設けることができる。この締付バンド３３は、たとえばマジックテープ（登録商標）により構成することができるが、これに限定されるものではなく、伸縮性のあるゴム材料等を採用することができる。この締付バンド３３は、囲繞部１２の先端部の外側に取り付けられている。
【００４４】
このようにすれば、釣竿２２の後端部２３（図３参照）を囲繞部１２により保持したときに、締付バンド３３を囲繞部１２の外周面に沿って巻き付けることによって、開口部１７の内径を縮径することができる。これにより、釣竿２２の後端部２３を締め付けて確実に保持することができる。
【００４５】
また、かかる締付バンド３３を設けることにより、開口部１７の内径をほぼすべての釣竿の後端部が挿入できる値に設定しておいても、締付バンド３３を囲繞部１２に巻き付けることによって、釣竿の後端部を囲繞部１２によって確実にほじすることができる。
【００４６】
さらに、図６は、本実施形態の第２の変形例に係るアダプタ５０の内底部５１の要部拡大断面図である。
【００４７】
同図に示すように本変形例では、囲繞部１２の内底面３８と内壁面３９とが連続する部分（内底部５１）に、傾斜面４０が形成されている。この傾斜面４０を設けることにより、内底部５１の内径は漸次縮径されており、内底面３８の内径が２５ｍｍに設定されている。もっとも、この寸法は釣竿の後端部の外径に対応させて自由に設計変更することができる。このように傾斜面４０を設けることにより、釣竿の後端部を安定して囲繞することができる。
【００４８】
また、図７は、本実施形態の第３の変形例に係るアダプタ５０の内底部５１の要部拡大断面図である。
【００４９】
同図に示すように本変形例では、囲繞部１２の内底部５１に中子４１（内径縮径部材）が嵌め込まれている。この中子４１は、円形の器状に形成されており、たとえばＰＰ（ポリプロピレン）、ＡＢＳ樹脂（アクリロニトリル・ブタジエン・スチレン樹脂）、ＥＶＡ樹脂（エチレン酢酸ビニル共重合体樹脂）等の合成樹脂により構成することができる。本変形例では、中子４１の外径は３０ｍｍ、内径は２５ｍｍに設定されており、中子４１が内底面３８に当接する状態で配置されている。もっとも、これらの寸法は、囲繞部１２の内径および囲繞する釣竿の外径に応じて自由に設計変更することができる。
【００５０】
このように中子４１を設けることによって、囲繞部１２の内径を簡単に小さくすることができる。これにより、単一のアダプタ３０であっても、外径の大きな釣竿から外径の小さい釣竿まで、安定して囲繞することができるという利点がある。
【００５１】
【発明の効果】
以上のように本発明によれば、釣竿をロッドケースの内底面から底上げした状態で収納することができる。したがって、釣竿にリールを装着した場合であっても、釣竿を長手方向にずらせて収納することができるから、リール同士の衝突を避けて安全に釣竿を収納することができる。しかも、予め釣竿にアダプタを装着することによって、ロッドケースへの釣竿の収納がきわめて簡単である。
【００５２】
また、釣竿収納アダプタの基部が棒状に形成されており、収納される釣竿をロッドケース内で持ち上げるためのものであるから、その配置のためにロッドケース内に広い配置スペースを要することがなく、ロッドケース内のスペース効率を向上させ、複数の釣竿を収納することができる。
【００５３】
さらに、従来のロッドケースのすべてに対応することができるので、ロッドケース自体のコストアップとなることはないという利点がある。
【図面の簡単な説明】
【図１】本発明の一実施形態に係る釣竿収納アダプタの斜視図である。
【図２】本発明の一実施形態に係る釣竿収納アダプタの断面図であり、(a)図は図１におけるＡ−Ａ断面およびＢ−Ｂ断面、(b)図は図１におけるＣ−Ｃ断面、(c)図は図１におけるＤ−Ｄ断面、(d)図は図１におけるＥ−Ｅ断面を示す。
【図３】本発明の一実施形態に係る釣竿収納アダプタを用いて釣竿をロッドケースに収納した状態を示す図である。
【図４】本発明の一実施形態の変形例に係るアダプタの要部斜視図である。
【図５】本発明の一実施形態の他の変形例に係るアダプタの要部斜視図である。
【図６】本発明の一実施形態の第２の変形例に係るアダプタの内底部の要部拡大断面図である。
【図７】本発明の一実施形態の第３の変形例に係るアダプタの内底部の要部拡大断面図である。
【符号の説明】
１０  アダプタ
１１  基部
１２  囲繞部
１３  底面
１４  底部
１５  スリット
１６  開口
１７  開口部
２０  ロッドケース
２１  内定面
２２  釣竿
２３  後端部
２４  釣竿
３０  アダプタ
３１  弾性部材
３３  締付バンド
３８  内底面
３９  内壁面
４０  傾斜面
５０  アダプタ
５１  内底部
【図１】
0003795403.tif 000002
【図２】
0003795403.tif 000003
【図３】
0003795403.tif 000004
【図４】
0003795403.tif 000005
【図５】
0003795403.tif 000006
【図６】
0003795403.tif 000007
【図７】
0003795403.tif 000008